(57)【特許請求の範囲】
【請求項１】
機械の外部から顧客によって預入れられた紙幣を受け入れるための、そして顧客を同定するための預入れ部（１）と、
預入れた紙幣の有効性をチェックするための検出ユニット（１１）と、
前記預入れられた紙幣および前記顧客に関する情報を印刷するための印刷ユニット（１８１）と、
偽と疑われた紙幣を透明な包装材料の中へ包装およびシールするための包装ユニット（１８）と、そして
前記検出手段によって偽と疑われた１又はそれ以上の紙幣の前記包装ユニットへの輸送を制御するため、および前記疑わしい紙幣を包装しそしてシールするための前記包装ユニットの作業と共に、顧客情報および疑わしい紙幣に関する情報を前記透明な包装材料の内側に印刷するための前記印刷ユニットを制御するための処理ユニット（１２）
を含んでいる紙幣取扱い機械。
【請求項２】
前記印刷ユニット（１８１）は、包装作業の直前に、透明な包装材料の上側に顧客および紙幣の情報を印刷するのに適応しており、前記上側は、情報が耐久性になり、そして認知されずにごまかすのが困難になるような前記包装作業により閉鎖された包装の内側表面になることを特徴とする請求項１に記載の紙幣取扱い機械。
【発明の詳細な説明】
【０００１】
【本発明の分野】
本発明は、紙幣取扱い機械、もっと特定すれば顧客同定のためのそして機械外側から顧客によって預入れられた紙幣を受領するための預入れ部、預入れられた紙幣の有効性をチェックするための検出手段、および紙幣を預入れした顧客に関する情報を印刷するための手段を含んでいる機械に関する。
【０００２】
【本発明の背景】
偽紙幣を検出するための手段を備えている自動金銭出納機械は既知である。検出されたどの偽紙幣も預入れした客に返還されず、機械に貯蔵され、そして後に別の検査対象となる。
【０００３】
そのような検査を行う操作は比較的複雑でそして退屈するほど長くなり得る。これは偽紙幣の出所を確立を困難にするか、またはそのような確立を不可能にする。本発明の目的はとりわけ前記欠点および他の欠点をなくそうとすることである。
【０００４】
【本発明の概要】
前記種類の紙幣取扱い機械は、検出手段が偽と疑った紙幣を偽の疑いある紙幣を貯蔵し、容器に入れ、包装するための別ユニットへの輸送に制御する処理ユニットと、そして顧客に関連する情報と疑われた偽紙幣の貯蔵および包装と共に検出された可能性ある偽紙幣に関する情報を制御する手段を含んでいる。
【０００５】
今や本発明は添付概略図を参照してもっと詳細に記載されるであろう。
【０００６】
【好ましい具体例の説明】
本発明の紙幣取扱い機械は預入れ部１および払出し部１を含んでいる。
【０００７】
預入れ部１は、投入コンパーメント１０、検出手段１１，処理ユニット１２，コンベア経路１３’−１３”−１３、第１の貯蔵手段１４、第２の貯蔵手段１５、第１のスタッカー手段１６、第２のスタッカー手段１７、および包装もしくは容器入れユニット１８を含んでいる。
【０００８】
機械へ投入された紙幣は束にされ、そして多分異なる金額で預入れコンパーメント１０に入れられる。該コンパーメントは５００枚までの紙幣を受入れる。これらの紙幣は次々に分離され、検出手段１１を通って上部コンベア経路１３’に沿って下方コンベア経路１３へ紙幣を下方へ誘導する案内手段（方向変換）１３”まで運搬される。
【０００９】
検出手段１１は預入れコンパートメント１０に接近して配置され、そして到着する紙幣から偽紙幣、劣悪品質の紙幣および他の紙幣を選別する。ここでは選別とは、紙幣の後の輸送においてそれぞれの紙幣を“多分偽”，“劣悪品質”または“受理”として取扱うことができるように、何らかの方法で通過する紙幣をマークすることを意味する。
【００１０】
貯蔵装置１４および機械内の他の類似な貯蔵装置は、その間に紙幣が貯蔵される２本のベルトと、そして二つの巻戻しドラム１４２，１４３を有する。前記貯蔵装置へ到着する紙幣の先導縁はセンサー１４４を作動させ、それにより各自それぞれのドラム１４１−１４３を駆動する三つのモータを始動させる。紙幣はベルトの間で約１２０ｍｍ引かれ、ベルトは一所に紙幣約５００枚を収容できる貯蔵ドラム１４１上に巻取られる。ベルトがドラム上にコイル巻される時、紙幣に関する情報が処理ユニット１２へ送られ、それによって紙幣間の列の計数が行われる。紙幣が装置１４から取られる時、パルスがモータへ送られ、ドラムを反対方向に回転させる。
【００１１】
貯蔵装置１４，１５へ近接してコンベア経路に沿って設けられたマニピュレータ１９は輸送中ねじれた又は横にずれた紙幣の位置を修正するように機能する。
【００１２】
スタッカー装置１６，１７の各自はいわゆるスタッカー輪であり、順番に到着する紙幣を貯蔵コンパートメント内において束に集める。この束が意図した枚数の紙幣を含む時、束は一対のアームによって挟まれ、そして包装ユニット１８へ下方に供給される。
【００１３】
包装ユニット１８は包装材料（プラスチック材料）を支承する二つのローラーを含んでいる。包装すべき紙幣束は各ロールからの同じ長さおよび幅の２枚のプラスチック片からなるポケット中へ下方へ引かれる。プラスチック片は束のまわりに一所に圧せられ、そしてテフロン被覆加熱ワイヤの助けによりそれらの縁に沿って溶着される。この既知の技術のもっと詳細な説明は米国特許第５，０３１，３７９号明細書を参照されたい。
【００１４】
処理ユニット１２は劣悪品質の紙幣の輸送をコンベア経路１３に沿ってユニット１６および１８へこれらの紙幣の貯蔵および包装のために制御する。このユニットはスタッカー装置１６と包装装置１８とからなる。
【００１５】
処理ユニット１２はまた、残りの真正のそして受理された紙幣の少なくとも一部をそれらの額面に従ってこれらの紙幣を貯蔵および包装するためユニット１４−１７−１８へ制御する。このユニットは貯蔵装置１４、スタッカー装置１７および包装ユニット１８からなる。
【００１６】
処理ユニット１２が経路セレクター、検出器等の助けによりコンベア経路１３の異なる部分に沿ってそれらの最終目的位置への紙幣の通過を制御する態様は当分野では既知であり、それ故ここでは詳細に記載しない。
【００１７】
検出装置１１において出会った疑わしい紙幣は例えばスタッカー装置１６へ運搬されることができ、そこから紙幣の枚数、日付等と、そして例えば口座番号を介して紙幣を預入れした客に関する情報を含んでいる自動的に印刷された受領証と共にそれらが包装される包装ユニット１８へ輸送される。これは偽または疑わしい紙幣の源を調査することを可能にする。
【００１８】
図２は、疑わしい偽紙幣を貯蔵および包装のためのユニット１６−１８を形成する位置にあるスタッカー装置１６と包装装置１８を図示する。鏡イメージで顧客関連情報および出会った疑わしい紙幣（好ましくは何枚かのそのような紙幣）に関する情報を包装材料（プラスチック片）の内側に直接印刷するための印刷装置１８１が備えられる。紙幣の輸送および前記情報の印刷は処理ユニット１２によって制御される。このため１回の同じ預入れ機会において偽と疑われたいくつかの紙幣の検出の場合、これら紙幣は包装の中味を開示する耐久性の情報が印刷された一つの同じ包装に集められるであろう。
【００１９】
図３は、プラスチック包装材料１８４のロール１８２，１８３を含んでいる実際の包装機構を図示する。二つのロールから取られた材料の端部１８５において溶着され（先の包装作業後）、そして上方から下方へ供給された紙幣のための使い捨てカセットもしくは包装の底を形成する。印刷装置１８１はロール１８２の上方へ近接して該装置の印刷ヘッド１８１１をガイドローラー１８６へ近接してそしてプラスチック材料１８４の上側にして取付けられる。このため材料１８４の上側は紙幣が各ロールからの２枚のプラスチック材料長さの間に下方へ供給されそして次に閉じた包装もしくはカセットを形成するように溶着された時に包装もしくはカセットの内側になる。印刷は溶着された継目１８５近くに施されることが重要である。
【図面の簡単な説明】
【図１】  本発明の紙幣取扱い機械を図示する。
【図２】  いくらか拡大したスケールで図１に従った機械に含まれる疑わしい偽紙幣を貯蔵し包装するためのユニットを図示する。
【図３】  図１に従った機械に含まれる包装機構を図示する。
【図１】
0004392645.tif 000002
【図２】
0004392645.tif 000003
【図３】
0004392645.tif 000004